(57)【特許請求の範囲】
【請求項１】
舎利を収容する骨つぼの製造方法であって、
骨つぼ本体の側壁に漆を塗り、さらに、漆を塗った布を側壁に巻きつけて、漆層を形成することを特徴とする骨つぼの製造方法。
【請求項２】
請求項１に記載した骨つぼの製造方法であって、
漆を塗った布を側壁に三重に巻きつけることを特徴とする骨つぼの製造方法。
【請求項３】
請求項１または２に記載した骨つぼの製造方法であって、
前記漆層で形成された外面に顔料入りの漆を塗布して模様を描くことを特徴とする骨つぼの製造方法。
【請求項４】
請求項３に記載した骨つぼの製造方法であって、
前記模様に金粉を沈着させることを特徴とする骨つぼの製造方法。
【請求項５】
請求項３に記載した骨つぼの製造方法であって、
前記模様に朱粉を沈着させることを特徴とする骨つぼの製造方法。
【請求項６】
請求項１から５までのいずれかに記載した骨つぼの製造方法であって、
前記漆層で形成された外面を紙やすりで研磨し、炭とぎをし、さらに粉で磨くことを特徴とする骨つぼの製造方法。
【請求項７】
請求項１から６までのずれかに記載した骨つぼの製造方法であって、
前記漆層の上に金箔を貼ることを特徴とする骨つぼの製造方法。
【請求項８】
請求項７に記載した骨つぼの製造方法であって、
前記金箔に蒔絵を描くことを特徴とする骨つぼの製造方法。
【請求項９】
請求項１から６までのいずれかに記載した骨つぼの製造方法であって、
骨つぼの外面に宝石を固着することを特徴とする骨つぼの製造方法。
【請求項１０】
請求項９に記載した骨つぼの製造方法であって、
前記固着した宝石を模様の一部とすることを特徴とする骨つぼの製造方法。
【請求項１１】
請求項１から１０に記載した骨つぼの製造方法であって、
前記模様に貝の片に漆で彩色したものを固着することを特徴とする骨つぼの製造方法。
【発明の詳細な説明】
【０００１】
【発明の属する技術分野】
本願発明は、骨つぼに関し、特に骨つぼの外面を漆層で形成し、この漆層に模様を施した骨つぼに関するものである。
【０００２】
【従来の技術】
従来から、舎利を入れる骨つぼが使用されている。この骨つぼは、骨つぼ本体とこの骨つぼ本体の開口部を開閉する蓋を備えている。舎利は前記開口部から骨つぼ本体内に収納される。
通常、骨つぼは、陶器製である。このため、骨つぼはある程度の耐久性を備えている。
【０００３】
【発明が解決しようとする課題】
しかし、上記従来の骨つぼは、通常陶器製であるので、その表面に模様を形成するときは、釉薬が施されている。しかし、釉薬を施した通常の陶器の外面は、温度の変化により収縮と膨張を繰り返して劣化し、また風化により劣化するので、年月が経つと、陶器の釉薬を施した外面にひびが発生する。このため、前記陶器製の骨つぼの外面および外面の模様が劣化するという問題があった。
そこで、本願発明が解決しようとする課題は、骨つぼの外面の耐久性を向上させるとともに、骨つぼの外面の模様の耐久性を向上させることである。
【０００４】
【課題を解決するための手段】
上記課題を解決するため、本願の第１の発明は、請求項１記載のとおりであり、舎利を収容する骨つぼの製造方法であって、骨つぼ本体の側壁に漆を塗り、さらに、漆を塗った布を側壁に巻きつけて、漆層を形成することを特徴とする骨つぼの製造方法である。これにより、骨つぼの側壁の外面を漆層で形成することができる。
さらに、第２の発明は、請求項２記載のとおりであり、請求項１に記載した骨つぼの製造方法であって、漆を塗った布を側壁に三重に巻きつけることを特徴とする骨つぼの製造方法である。これにより、側壁の漆層の厚さは、約３ないし３．５ｍｍとなる。
さらに、第３の発明は、請求項３記載のとおりであり、請求項１または２に記載した骨つぼの製造方法であって、前記漆層で形成された外面に顔料入りの漆を塗布して模様（仏像等の絵、風景画、文字等を含む。）を描くことを特徴とする骨つぼの製造方法である。これにより、漆層で形成された外面に漆で模様を描くことができる。
【０００５】
さらに、第４の発明は、請求項４記載のとおりであり、請求項３に記載した骨つぼの製造方法であって、前記模様に金粉を沈着させることを特徴とする骨つぼの製造方法である。これにより、金粉を沈着した模様を形成することができる。
さらに、第５の発明は、請求項５記載のとおりであり、請求項３に記載した骨つぼの製造方法であって、前記模様に朱粉を沈着させることを特徴とする骨つぼの製造方法である。これにより、朱粉を沈着した模様を形成することができる。
さらに、第６の発明は、請求項６記載のとおりであり、請求項１から５までのいずれかに記載した骨つぼの製造方法であって、前記漆層で形成された外面を紙やすりで研磨し、炭とぎをし、さらに粉で磨くことを特徴とする骨つぼの製造方法である。これにより、漆層で形成された外面の艶だしを行うことができる。
【０００６】
さらに、第７の発明は、請求項７記載のとおりであり、請求項１から６までのずれかに記載した骨つぼの製造方法であって、前記漆層の上に金箔を貼ることを特徴とする骨つぼの製造方法である。これにより、骨つぼの側壁の漆層に金箔を貼ることができる。
さらに、第８の発明は、請求項８記載のとおりであり、請求項７に記載した骨つぼの製造方法であって、前記金箔に蒔絵を描くことを特徴とする骨つぼの製造方法である。これにより、骨つぼの側壁の漆層に蒔絵を描いた金箔を貼ることができる。
【０００７】
さらに、第９の発明は、請求項９記載のとおりであり、請求項１から６までのいずれかに記載した骨つぼの製造方法であって、骨つぼの外面に宝石を固着することを特徴とする骨つぼの製造方法である。これにより、外面に宝石を固着した骨つぼを製造することができる。
さらに、第１０の発明は、請求項１０記載のとおりであり、請求項９に記載した骨つぼの製造方法であって、前記固着した宝石を模様の一部とすることを特徴とする骨つぼの製造方法である。これにより、外面に固着された宝石を前記模様の一部分とする骨つぼを製造することができる。
さらに、第１１の発明は、請求項１１記載のとおりであり、請求項１から１０に記載した骨つぼの製造方法であって、前記模様に貝の片に漆で彩色したものを固着することを特徴とする骨つぼの製造方法である。これにより貝の片に漆で彩色したものを模様の一部分とすることができる。
【０００８】
【発明の実施の形態】
以下、本願発明における実施の形態を図面に基づいて説明する。図１は、本願発明の実施の形態に係わる骨つぼの一例の外観を示している。
図１において、骨つぼ１０は、骨つぼ本体１１と蓋１２を備えている。骨つぼ本体１１は開口部１１ａ（図３参照）を備えた容器状のものであり、蓋１２は開口部１１ａを開閉するものである。
【０００９】
模様２０が、ろ色等の漆により骨つぼ本体１１の側壁１１ｂの外面１１ｂａの四方に描かれている。なお、外面１１ｂａは、骨つぼ１０の外面となる。模様２０は、外面１１ｂａの装飾となる。漆に含まれる顔料により、漆の色は種々の色となる。顔料入りの漆を下地となる漆層の表面に塗布して乾燥させることにより、下地となる漆層の表面に模様２０を形成することができる。模様２０は、たとえば仏像の絵である。また、模様２０の表面に凹凸を設けてもよい。さらに、模様２０に金粉、朱粉等を沈着させてもよい。なお、骨つぼ１０の製造方法については、後述する図３の説明にて詳細に説明する。
【００１０】
さらに、文字等を記載する二点鎖線で囲った部分３０が側壁１１ｂの外面１１ｂａに設けられている。この場合の文字等は、模様（模様２０に相当する。）の一種となり、たとえば故人の氏名、戒名、故人を記念する文等である。
さらに、蓋１２の外面１２ａ（骨つぼ１０の外面となる。）は、側壁１１ｂの外面１１ｂａと同様に、漆層で形成されている。そして、模様（模様２０に相当する。）を外面１２ａに描いてもよい。
【００１１】
図２は、図１の模様２０を拡大して示している。模様２０において、２１は胴体、２２は顔、２３は頭、２４は足である。また、２５は蓮台である。
宝石３１が頭２３の前部に固着され、宝石３２が顔２２の額に固着されている。さらに、６個の宝石３３が蓮台２５の上面の周辺部に固着されている。宝石３１、３２、３３は、ダイヤモンド、ルビー等である。
蓮台２５は、たとえば、薄く加工した貝の片３６、３７に漆で彩色したものである。７個の貝の片３６は、蓮台２５の上向きの花弁を構成し、７個の貝の片３７は蓮台２５の下向きの花弁を構成している。なお、宝石３１、３２、３３および貝の片３６、３７は接着剤の使用または側壁１１ｂの外面１１ｂａ等に埋め込むことにより側壁１１ｂの外面１１ｂａ等に固着することができる。
【００１２】
図３は、骨つぼ本体１１の製造方法を示している。図３において、骨つぼ本体１１の心材はたとえば陶器である。漆を側壁１１ｂに塗り、さらに、たとえば漆を塗った布１１ｄを側壁１１ｂに三重に巻き付ける。これにより、側壁１１ｂの漆層の厚さは、約３ないし３．５ｍｍとなる。
図１に示すように、この漆層で形成された外面１１ｂａに模様２０を描くことができる。そして、外面１１ｂａの仕上として、紙やすり（１６００番以下のもの）で研磨し、炭とぎをし、さらに、粉で磨いて艶だしを行う。さらに、前記漆層の上に金箔を貼ることもできる。この金箔に蒔絵等を描くことができる。
【００１３】
なお、図３において、１１ｂｂは側壁１１ｂの内面であり、１１ｃは骨つぼ本体１１の底部である。
また、図１において、蓋１２は、骨つぼ本体１１と同様に、陶器製の心材を備え、この心材の外面に漆層を形成し、この漆層で外面１２ａを形成している。
【００１４】
なお、上記実施の形態において、骨つぼ１０の平面は円形であるが、これに限定されず、骨つぼ１０の平面を正方形、五角形、六角形等の種々の形にすることができる。
また、骨つぼ１０の心材は、陶器に限定されず、たとえば、磁器、木、プラスチックス等でもよい。
また、骨つぼ１０の大きさは、たとえば、前記円形平面の場合の円形の径が１０ないし１８ｃｍであり、その高さが１０ないし３０ｃｍである。
また、模様２０は、図示されたものに限定されず、天女の絵、風景画、花の絵等でもよい。また、模様２０の数は任意でよく、模様２０を描く個所は、骨つぼ１０の外面（蓋１２の外面１２ａおよび側壁１１ｂの外面１１ｂａを含む。）であればどこでもよい。
また、宝石を骨つぼ１０の外面にて模様とはべつの個所に固着してもよい。
また、骨つぼ１０の外面のみならず、内面も漆層で形成してもよい。
【００１５】
【発明の効果】
本願の第１の発明によれば、骨つぼの外面を漆層で形成している。これにより、骨つぼの外面の耐久性が著しく向上する。このため、骨つぼの価値が著しく向上する。また、この骨つぼを長い年月保存することができる。
さらに、第２の発明によれば、第１の発明の効果とともに、骨つぼの側壁の漆層の厚さは約３ないし３．５ｍｍとなる。
さらに、第３の発明により、上記第１または第２の発明の効果とともに、骨つぼの外面に漆で模様を描いている。これにより、骨つぼの外面の模様の耐久性が著しく向上する。このため、骨つぼの価値が著しく向上する。また、この骨つぼを長い年月保存することができる。また、故人が生前に好みの模様の耐久性ある骨つぼを選ぶことができる。さらに、この骨つぼを副葬品的なものとして使用することもできる。
【００１６】
さらに、第４の発明により、第３の発明の効果とともに、漆層に金粉を沈着した模様を有する骨つぼを製造することができる。
さらに、第５の発明により、第３の発明の効果とともに、漆層に朱粉を沈着した模様を有する骨つぼを製造することができる。
さらに、第６の発明により、第１から第５までのいずれかの発明の効果とともに、骨つぼの側壁の漆層の艶だしをすることができる。
【００１７】
さらに、第７の発明によれば、第１から第６までのいずれかの発明の効果とともに、金箔を貼った骨つぼを製造することができる。
さらに、第８の発明によれば、第７の発明の効果とともに、側壁の漆層に蒔絵を描いた金箔を貼った骨つぼを製造することができる。
【００１８】
さらに、第９の発明によれば、第１から第６までのいずれかの発明の効果とともに、前記骨つぼの外面に宝石を固着したので、この宝石が耐久性ある装飾部材になる。このため、骨つぼの外面に高価な耐久性ある装飾部材を形成することが容易になる。
さらに、第１０の発明によれば、第９の発明の効果とともに、宝石が前記模様の一部分を形成するので、前記宝石が前記模様の重要な要素となる。このため、宝石と宝石以外の部分とが一体となって装飾用の模様を形成することができる。
さらに、第１１の発明により、第１から第１０までのいずれかの発明の効果とともに、貝の片に漆で彩色したものを模様の一部分とすることができる。
【図面の簡単な説明】
【図１】本願発明の実施の形態に係わる骨つぼの一例の外観を示す斜視図である。
【図２】図１の骨つぼの模様を拡大して示す部分図である。
【図３】図１の骨つぼの製造方法を示す説明図である。
【符号の説明】
１０  骨つぼ
１１  骨つぼ本体
１１ａ  骨つぼ本体の開口部
１１ｂ  骨つぼ本体の側壁
１１ｂａ  側壁の外面
１２  蓋
１２ａ  蓋の外面
２０  模様
３１、３２、３３  宝石
【図１】
0003847100.tif 000002
【図２】
0003847100.tif 000003
【図３】
0003847100.tif 000004